(57)【要約】【課題】  床からの振動を増幅することなく、上部に重量のある設備を設置することが可能であり、設置及び施工が容易なフリーアクセスフロア用架台を提供する。【解決手段】  支柱１３の上方には下フレーム２３が設けられる。下フレーム２３は鋼製の略矩形形状の部材であり、接続部２５および連結部２６を有する。接続部２５は支柱１３および支柱３９との接続部であり、下フレーム２３の四隅近傍に４か所配置される。連結部２６は接続部２５同士を連結する部位である。接続部２５は連結部２６よりも幅が太い。すなわち、接続部２５は連結部２６よりも断面積が大きく、このため接続部２５の剛性がより高い。【選択図】図１
2010077764.tif 000002
【特許請求の範囲】
【請求項１】
下プレートと、
前記下プレートに設けられた第１の支柱と、
前記第１の支柱を介して、前記下プレートと接合された下フレームと、
前記下フレーム上に設けられた第２の支柱と、
前記第２の支柱を介して、前記下フレームと接合された上フレームと、
前記上フレーム上に接合された上プレートと、
を具備し、
前記下フレームは、前記第１の支柱および前記第２の支柱と接合される接合部と、前記接合部同士を連結する連結部とを有し、前記接合部は前記連結部よりも剛性が高いことを特徴とするフリーアクセスフロア用架台。
【請求項２】
前記下フレームは略矩形形状であり、前記接合部は前記下フレームの四隅近傍に設けられることを特徴とする請求項１記載のフリーアクセスフロア用架台。
【請求項３】
前記接合部には、補強部材が設けられることを特徴とする請求項１または請求項２に記載のフリーアクセスフロア用架台。
【請求項４】
前記接合部の断面積は前記連結部の断面積よりも大きいことを特徴とする請求項１から請求項３のいずれかに記載のフリーアクセスフロア用架台。
【発明の詳細な説明】
【技術分野】
【０００１】
本発明は、フリーアクセスフロアに使用され、上部に設備等を設置可能であり、床部からの振動の増幅を抑えて、上部に設置された設備に増幅された振動を伝達することがない高い剛性を有するフリーアクセスフロア用架台に関するものである。
【背景技術】
【０００２】
従来、フリーアクセスフロアを構成するフロアパネルは、支持体の上に配置され、フロアパネル下には空間が形成される。この床下は、配線等を配置したり空気を流したりするために用いられ、作業性等を考慮して、フロアパネルは軽量なものが使用される。
【０００３】
しかし、フリーアクセスフロアに設備等の重量物を設置する場合は、フロアパネルおよび支持体にはある程度の強度が要求される。特に、半導体基盤などの製造設備は振動に弱く、フロアパネル及び支持体の剛性が不足すると、床面の振動を支持体等が増幅してしまい、大きな振動を設備に伝達する。
【０００４】
このため、半導体基盤製造設備等の振動を嫌う重量物である設備をフリーアクセスフロアに設置する場合には、予め設備の設置位置にコンクリートを打設して設備設置部を設けたり、または、強固な鉄骨構造により補強を行う必要がある。しかし、クリーンルーム内でのコンクリートの打設や溶接作業は困難であり、レイアウト変更などによる設備の移設や増設が困難である。
【０００５】
このような強度を考慮したフロアパネルとしては、連続した凹凸形状背面に設けたフリーアクセスフロア用パネルがある（特許文献１）。
【０００６】
また、壁面近傍にボーダーパネル支持脚および支持ビームを設けて、壁面近傍の設置強度を高めたフリーアクセスフロアがある（特許文献２）。
【特許文献１】特開平１１−６２７６号公報
【特許文献２】特開平５−１１８１２０号公報
【発明の開示】
【発明が解決しようとする課題】
【０００７】
しかし、特許文献１に記載のフリーアクセスフロア用パネルでは、パネル自体の強度向上に限界があり、また、パネルを支える支持体についても強度向上を図る必要があるが、支持体の強度の向上については考慮されていないため、パネル上への重量物の設置には限界があるという問題がある。
【０００８】
また、特許文献２に記載のフリーアクセスフロアは、壁面近傍での支持体の強度を向上させたものであるが、部屋の中央部での支持体の強度向上方法については、支持体下部の固定板と床部との接着面積を向上する旨のみが記載されており、上部からの重量物を支持し、高い剛性を有するための具体的な支持体構造については記載が無く、特許文献１と同様にパネル上への重量物の設置には限界があるという問題がある。
【０００９】
このため、特許文献１及び特許文献２のいずれに記載のパネル及び支持体でも、設備を設置するための強度を十分に確保することが困難であるとともに、床面からの振動を増幅することがないような高い剛性を確保することは困難であるという問題がある。
【００１０】
本発明は、このような問題に鑑みてなされたもので、床からの振動を増幅することなく、上部に重量のある設備を設置することが可能であり、設置及び施工が容易なフリーアクセスフロア用架台を提供することを目的とする。
【課題を解決するための手段】
【００１１】
前述した目的を達成するため、本発明は、下プレートと、前記下プレートに設けられた第１の支柱と、前記第１の支柱を介して、前記下プレートと接合された下フレームと、前記下フレーム上に設けられた第２の支柱と、前記第２の支柱を介して、前記下フレームと接合された上フレームと、前記上フレーム上に接合された上プレートと、を具備し、前記下フレームは、前記第１の支柱および前記第２の支柱と接合される接合部と、前記接合部同士を連結する連結部とを有し、前記接合部は前記連結部よりも剛性が高いことを特徴とするフリーアクセスフロア用架台である。
【００１２】
前記下フレームは略矩形形状であり、前記接合部は前記下フレームの四隅近傍に設けられることが望ましい。
【００１３】
前記接合部には、補強部材が設けられてもよい。前記接合部の断面積は前記連結部の断面積よりも大きいことが望ましい。
【００１４】
本発明によれば、下フレームの下プレートおよび上プレートと接合される部位に接合部が設けられ、接合部の剛性が、接合部同士を連結する連結部の剛性よりも大きいため、より剛性の要求される部位のみの剛性を高め、剛性を要しない連結部の剛性を低くすることができる。
【００１５】
たとえば、接合部の厚さまたは幅を連結部の厚さまたは幅よりも大きくすれば（すなわち、接合部の断面積を連結部の断面積より大きくすれば）、必要な部位のみの剛性を高めることができる。接合部の断面積を向上させるためには、例えば下フレーム上に補強部材を接合すればよく、容易に剛性を高めることができる。
【００１６】
特に、接合部を下フレームの四隅に設けることで、接合部の剛性を高めることができる。
【発明の効果】
【００１７】
本発明によれば、床部からの振動の増幅を抑えて、上部に設置された設備に増幅された振動を伝達することがない高い剛性（特に水平方向の振動に対して高い剛性）を有するため、上部に重量があり、かつ、振動を嫌う設備等を設置可能であり、設置及び施工が容易なフリーアクセスフロア用架台を提供することができる。
【発明を実施するための最良の形態】
【００１８】
以下、本発明の実施の形態にかかる架台１について説明する。図１は、第１の実施の形態にかかる架台１を示す分解斜視図であり、図２は、架台１の組立斜視図、図３は架台１の正面図である。
【００１９】
架台１は、主に下プレート４、下フレーム２３、支柱１３、支柱３９、上フレーム４９、上プレート６５等により構成される。下プレート４は、架台１を床上に設置する際に、床と接着される部位である。
【００２０】
下プレート４は例えば鋼製の板状部材であり、架台１の四隅に該当する部分に切り欠き部７が設けられる。切り欠き部７は、架台１を設置する際に、フリーアクセス用フロアパネル設置用の支持体との干渉を防ぐためのものである。すなわち、架台１は、既設の支持体の脚部と干渉することなく設置することができる。
【００２１】
下プレート４には、ナット１１が接合される。ナット１１は例えば溶接によって下プレート４へ接合される。ナット１１は支柱１３の接合部である。
【００２２】
下プレート４には、複数の支柱１３が略垂直方向に設けられる。支柱１３は鋼製の棒状部材であり、両端にボルト部１７ａ、１７ｂが設けられる。支柱１３は、ナット１１に螺合されて固定される。支柱１３は上方からの力を均等に受けることができるように、下プレート４の各辺近傍にそれぞれ２本ずつ、合計８本設けられる。
【００２３】
なお、支柱１３の本数及び設置位置は、後述する下フレーム２３との接合を確実に行うことができれば良く、上述した、架台１の形態には限られない。しかし、高い剛性を確実に得るためには、架台１を上方から見たとときに、支柱１３の配置が架台１の中心を基準として対称位置であると、荷重バランスに優れるため望ましい。
【００２４】
支柱１３の上方には下フレーム２３が設けられる。下フレーム２３の四隅は、既設の支持体等と干渉することを防ぐため、斜めにカットされる。下フレーム２３は鋼製の略矩形形状の部材であり、接続部２５および連結部２６を有する。接続部２５は支柱１３および後述する支柱３９との接続部であり、下フレーム２３の四隅近傍に４か所配置される。連結部２６は接続部２５同士を連結する部位である。接続部２５は連結部２６よりも幅が太い。すなわち、接続部２５は連結部２６よりも断面積が大きい。
【００２５】
なお、接続部２５の剛性が連結部２６より高くなればよく、接続部２５の断面積を連結部２６の断面積よりも大きくするためには、幅ではなく厚みを変更してもよい。また、接続部２５と連結部２６の材質を変更して剛性を変えてもよい。さらに接続部２５と連結部２６とは一体で成形してもよく、別体で成形した後に公知の方法で接合してもよい。なお、接合部２５の厚さを連結部２６よりも厚くする場合には、別途補強部材を接合部へ取り付けることで厚さを厚くしてもよい。
【００２６】
接続部２５には、穴２７、及び穴２９が設けられる。穴２７は、支柱１３との接続部である。また、穴２９は、後述する支柱３９との接合部であり、内部に雌ねじ加工が施されている。すなわち、穴２７は、下プレート４上に下フレーム２３を設置した際に、支柱１３の設置位置に設けられる。
【００２７】
支柱１３の上方のボルト部１７ｂは、下フレーム２３の穴２７を貫通し、ナット３１ａ、３１ｂで固定される。すなわち、ナット３１ａ、３１ｂが、下フレーム２３を上下方向両側より挟みこむように設けられ、支柱１３が下フレーム２３に固定される。すなわち、下プレート４と下フレーム２３とが支柱１３を介して接合される。
【００２８】
下フレーム２３上には支柱３９が設けられる。支柱３９は支柱１３よりもやや太く（剛性が高く）、下フレーム２３の四隅近傍に４本設けられる。支柱３９は鋼製部材であり、両端にボルト部４３ａ、４３ｂが設けられる。支柱３９の下方のボルト部４３ａは、下フレーム２３の穴２９を貫通し、ナット３７ａ、３７ｂで固定される。すなわち、ナット３７ａ、３７ｂが、下フレーム２３を上下方向両側より挟みこむように設けられ、支柱３９が下フレーム２３に固定される。
【００２９】
なお、支柱３９の本数及び設置位置は、後述する上フレーム４９との接合を確実に行うことができれば良く、上述した、架台１の形態には限られない。しかし、高い剛性を確実に得るためには、架台１を上方から見たとときに、支柱３９の配置が架台１の中心を基準として対称位置であると、荷重バランスに優れるため望ましい。特に、支柱３９間が離れるようにして、支柱３９を下フレーム２３の四隅近傍にすることが剛性を高める上で望ましい。
【００３０】
支柱３９の上方には、上フレーム４９が設けられる。上フレーム４９は鋼製の矩形形状の板状部材である。上フレーム４９には、穴５１及び穴５５が設けられる。穴５１は支柱３９のボルト部４３ｂとの接合部である。支柱３９のボルト部４３ｂが穴５１を貫通し、ナット３７ｃ、３７ｄにより固定される。すなわち、ナット３７ｃ、３７ｄが、上フレーム４９を上下方向から挟みこむように設けられ、上フレーム４９が支柱３９に固定される。このため、支柱３９と上フレーム４９との接合部におけるすべりやずれが生じることが無い。穴５５には雌ねじ加工が施される。
【００３１】
なお、上フレーム４９の四隅は、斜めにカットされる。フロアパネルを支える既設の支持体等との干渉を防ぐためである。すなわち、架台１は、既設の支持体等が設置された部位においても、支持体等と干渉することなく設置することができる。
【００３２】
上フレーム４９上には、上プレート６５が設けられる。上プレート６５は鋼製の矩形形状の板状部材であり、上部に設備等が設置される部位である。上プレート６５には接続材６１が設けられる。接続材６１は、中央に穴が設けられた中空の柱状部材であり、上フレーム４９と上プレート６５を接続する部材である。接続材６１は、溶接等により予め上プレート６５に接合しておいても良く、又は、別部材であっても良い。
【００３３】
接続材６１の設置位置は、上フレーム４９の穴５５に対応する位置である。また、上プレート６５の接続材６１の設置位置には、穴７１が設けられる。ボルト６９は、穴７１及び接続材６１の中空部を貫通し、上フレーム４９の穴５５に螺合して固定される。なお、図示は省略するが、上プレート６５の穴７１は、ボルト６９の頭部が収まるよう段付形状となっており、ボルト６９で上プレート６５と上フレーム４９とを固定した際に、ボルト６９が上プレート６５の面上に突出することはない。
【００３４】
次に、架台１の設置状態を説明する。図４は、フロアパネル７３が複数配置されたフロアの、設備設置部位７５に該当する位置に架台１を設置した状態を示す平面図である。架台１の上面は、フロアパネル７３と同じサイズである。すなわち、上プレート６５はフロアパネル７３と同じサイズである。
【００３５】
フリーアクセスフロア上に設備設置部位７５が決定されると、設備設置部位７５に該当するフロアパネル７３が取り外され、代わりに架台１が設置される。架台１は、上部に設置される設備の大きさによって、１台のみで使用しても良く、または、図４に示すように縦横２台としてもよい。設備の大きさ及び設備設置部位７５に応じて、架台１の設置台数を決定すれば良く、架台１設置部位のフロアパネル７３と入れ替えればよい。
【００３６】
フロアパネル７３のそれぞれの角の合流部には、通常、支持体が設置されており、フロアパネル７３は支持体上に配置される。架台１は下プレート４の四隅に切り欠きがあるため、既設の支持体の脚部と干渉することが無い。また、下フレーム２３、上フレーム４９の四隅も、斜めにカットされて切り欠き部が設けられているため、支持体と干渉することがない。このため、支持体を設置した状態で、架台１を設置することができる。
【００３７】
このように、本実施の形態にかかる架台１によれば、高い剛性（特に水平方向の剛性）を有するため、床からの振動を増幅することがなく、このため、上部に重量があり、振動に弱い設備等を設置しても、床からの振動を増幅して伝達することが無い。
【００３８】
また、下フレーム２３は接続部２５と連結部２６とを有し、支柱１３、３９が接続される部位のみ大きな剛性とし、剛性を必要としない連結部２６の幅を小さくして剛性を落としたため、軽量でかつ高い剛性を得ることができる。また、下フレーム２３は支柱３９が螺合可能な厚みを有し、雌ねじ加工が施された穴２９を有するため、ナットが不要であり、組み立て作業性が優れる。
【００３９】
また、下プレート４の四隅が切り欠かれているため、既設の支持体等の脚部と干渉することが無く、設備の移設や増設時に、既設のフロアパネル７３に代えて架台１を設置することが可能である。特に、架台１は各部材の組立及び解体が容易であるため、クリーンルーム内での溶接作業等を行うことなく、また、特殊なクレーン等の設備を必要としなくても、現場で容易に設置作業を行なうことができる。
【００４０】
また、上方からの荷重を支柱１３、３９が受けるため、支柱１３、３９の本数等を適宜変更することで、所望の強度を有する架台を得ることができ、重量のある設備を設置可能な架台を提供することができる。
【００４１】
次に、第２の実施の形態にかかる架台８０について説明する。図５から図７は、架台８０を示す図で、図５は架台８０の分解斜視図、図６は架台８０の組立斜視図、図７は架台８０の正面図である。なお、架台８０において、図１〜図３に示す架台１と同一の機能を果たす構成要素には、図１〜図３と同一番号を付す。架台８０は、主に下プレート３、下フレーム２３、支柱１５、支柱４１、上フレーム４５、上プレート６３、及びターンバックル１９等により構成される。
【００４２】
下プレート３は、架台８０を床上に設置する際に、床と接着される部位である。下プレート３は鋼製の板状部材であり、架台８０の四隅の該当する部分に切り欠き部７が設けられる。切り欠き部７は、架台８０を設置する際に、フリーアクセス用フロアパネル設置用の支持体との干渉を防ぐためのものである。すなわち、架台８０は、既設の支持体の脚部と干渉することなく設置することができる。
【００４３】
下プレート３には、補強部材５が設けられる。補強部材５は例えば鋼製の板状部材であり、下プレート３よりも厚さが厚い。補強部材５は、後述する支柱１５との接合部であり、切り欠き部７同士の間に設けられる。なお、補強部材５と下プレート３との接合は、溶接その他の方法でよく、また、あらかじめ一体で製造された場合でも、当該部位を補強部材と称する。補強部材５には複数の穴９が設けられる。穴９には雌ねじが施される。なお、穴９は下プレート３までは貫通していないため、下プレート３下から下プレート３上側または補強部材５の穴９内へ接着剤等が浸入することがない。
【００４４】
下プレート３には、複数の支柱１５が略垂直方向に設けられる。支柱１５は鋼製の六角断面形状の棒状部材であり、両端に六角断面部よりも径の小さなボルト部１７ａ、１７ｂが設けられる。支柱１５は、補強部材５の穴９に螺合される。支柱１５は上方からの力を均等に受けることができるように、下プレート３の各辺近傍にそれぞれ２本ずつ、合計８本設けられる。
【００４５】
なお、支柱１５の本数及び設置位置は、後述する下フレーム２３との接合を確実に行うことができれば良く、上述した、架台８０の形態には限られない。しかし、高い剛性を確実に得るためには、架台８０を上方から見たとときに、支柱１５の配置が架台８０の中心を基準として対称位置であると、荷重バランスに優れるため望ましい。
【００４６】
下プレート３には雌ねじ加工が施された穴８が複数設けられる。穴８は下プレート３の中心を基準として、同心円上に一定間隔で４箇所設けられる。図８は、穴８近傍の下プレート３の拡大断面図である。下プレート３と床５８とは、接着剤７７により接着される。また、穴８下の下プレート３と床５８との間には当て板としてプレート７９が設けられる。下プレート３に設けられた穴８には、ボルト７６が設けられる。
【００４７】
ボルト７６を回転すると、ボルト７６の先端がプレート７９に突き当たり、下プレート３と床５８（プレート７９）との隙間が変化する。下プレート３に設けられたそれぞれの穴８について、それぞれのボルト７６の高さ調整することで、下プレート３の水平度の調整を行なうことができる。すなわち、水平調整機構である穴８及びボルト７６等によって架台８０の水平レベルを調整することができる。
【００４８】
支柱１５の上方には下フレーム２３が設けられる。下フレーム２３の四隅は、既設の支持体等と干渉することを防ぐため、斜めにカットされる。下フレーム２３は鋼製の略矩形形状の部材であり、接続部２５および連結部２６を有する。接続部２５は支柱１５および後述する支柱４１との接続部であり、下フレーム２３の四隅近傍に４か所配置される。連結部２６は接続部２５同士を連結する部位である。接続部２５は連結部２６よりも幅が太い。すなわち、接続部２５は連結部２６よりも断面積が大きい。
【００４９】
なお、接続部２５の剛性が連結部２６より高くなればよく、接続部２５の断面積を連結部２６の断面積よりも大きくするためには、幅ではなく厚みを変更してもよい。また、接続部２５と連結部２６の材質を変更して剛性を変えてもよい。さらに接続部２５と連結部２６とは一体で成形してもよく、別体で成形した後に公知の方法で接合してもよい。なお、接合部２５の厚さを連結部２６よりも厚くする場合には、別途補強部材を接合部へ取り付けることで厚さを厚くしてもよい。
【００５０】
接続部２５には、穴２７、及び穴２９が設けられる。穴２７は、支柱１５との接続部である。また、穴２９は、後述する支柱４１との接合部であり、内部に雌ねじ加工が施されている。すなわち、穴２７は、下プレート３上に下フレーム２３を設置した際に、支柱１５の設置位置に設けられる。
【００５１】
支柱１５の上方のボルト部１７ｂは、下フレーム２３の穴２７を貫通し、下フレーム２３上方よりナット３１で固定される。すなわち、下プレート３（補強部材５）と下フレーム２３とが支柱１５を介して接合される。
【００５２】
下フレーム２３上には支柱４１が設けられる。支柱４１は支柱１５よりもやや太く（剛性が高く）、下フレーム２３の四隅近傍に４本設けられる。支柱４１は鋼製の六角断面形状の棒状部材であり、両端に六角断面部よりも径の小さなボルト部４３ａ、４３ｂが設けられる。支柱４１の下方のボルト部４３ａは、下フレーム２３（接合部２５）の穴２９に螺合して固定される。すなわち、支柱４１が下フレーム２３に固定される。
【００５３】
なお、支柱１５、４１ともに断面形状は六角断面に限られず、多角形断面形状であれば良い。多角形断面形状であれば、特殊な工具を必要とせずに支柱１５、４１を回転させることができ、穴９、穴２９への螺合時に作業が容易である。また、多角形断面形状部とボルト部との段差面の面粗度を高めれば、フレームとの接触面の位置精度が向上し、寸法精度が向上するため望ましい。
【００５４】
なお、支柱４１の本数及び設置位置は、後述する上フレーム４５との接合を確実に行うことができれば良く、上述した、架台８０の形態には限られない。しかし、高い剛性を確実に得るためには、架台８０を上方から見たとときに、支柱４１の配置が架台８０の中心を基準として対称位置であると、荷重バランスに優れるため望ましい。特に、支柱４１間が離れるようにして、支柱４１を下フレーム２３の四隅近傍にすることが剛性を高める上で望ましい。
【００５５】
支柱４１の上方には、上フレーム４５が設けられる。上フレーム４５は鋼製の中央に穴を有する略矩形形状の部材である。上フレーム４５には、連結穴４７、穴５１及び穴５３が設けられる。連結穴４７については後述する。穴５１は支柱４１のボルト部４３ｂとの接合部である。支柱４１のボルト部４３ｂが穴５１を貫通し、ナット３７により固定される。すなわち、上フレーム４５が支柱４１に固定される。
【００５６】
なお、上フレーム４５の四隅は、斜めにカットされる。フロアパネルを支える既設の支持体等との干渉を防ぐためである。すなわち、架台８０は、既設の支持体等が設置された部位においても、支持体等と干渉することなく設置することができる。
【００５７】
連結穴４７は、連結板で隣接する架台８０同士を連結することができる。前述の通り、架台８０は、上部に設置する設備の大きさや位置に応じて、複数台の架台８０を設置する場合があるが、この場合に、隣接する架台８０同士を連結することで、より高い剛性を得ることができる。
【００５８】
図９は、連結穴４７を用いて架台８０同士を接合する場合を示す図である。上フレーム４５上には連結板８１が設けられる。連結板８１には穴８３が設けられる。連結穴４７と連結板８１の穴８３とは対応した位置に設けられ、ボルト８５によって連結板８１が上フレーム４５に接合される。
【００５９】
図９（ｃ）は、図９（ｂ）の連結板８１近傍の拡大図であり、隣接する架台８０ａ、８０ｂ（図９（ｂ））のそれぞれの上フレーム４５ａ、４５ｂにまたがるように連結板８１が設けられ、連結板８１はボルト８５によって上フレーム４５ａ、４５ｂと接合される。すなわち、上フレーム４５ａと上フレーム４５ｂとが接合される。したがって、隣接する架台８０ａ、８０ｂ同士が連結される。
【００６０】
上フレーム４５上には、上プレート６３が設けられる。上プレート６３はアルミニウム製の矩形形状の部材であり、上部に設備等が設置される部位である。上プレート６３としては、従来のフロアパネルを流用することができ、その他の材質であってもよい。上フレーム４５と上プレート６３との間には調整部材５９が設けられる。調整部材５９は上プレート６３の高さを調整する部材である。調整部材５９については後述する。
【００６１】
上プレート６３の四隅下面には切り欠き６４（図７）が設けられる。切り欠き６４は隣接するフリーアクセス用フロアパネル設置用の支持体との干渉を防ぐためのものである。すなわち、架台８０は、既設の支持体の脚部と干渉することなく設置することができる。
【００６２】
上フレーム４５には、穴６８が設けられる。穴６８は調整部材５９との接合部である。図１０は、上プレート６３の穴６８を示す図である。上プレート６３の下面には複数のリブ８７が設けられる。穴６８はリブ８７の位置に設けられる。図１０（ａ）では、点線位置が穴６８の加工部となる。
【００６３】
図１０（ｂ）はリブ８７の位置に穴６８が設けられた状態を示す図、図１０（ｃ）は図１０（ｂ）のＡ−Ａ線断面図である。穴６８は内部に段差８９ａ、８９ｂが設けられ、上下が拡径された形状である。穴６８はリブ８７位置に設けられるため、段差８９ａ、８９ｂを設けることができる。
【００６４】
図１１（ａ）は分解図、図１１（ｂ）は接合した状態を示す図である。調整部材５９は内部に雌ねじ加工が施された穴９７を有する突起９５と、ボルト部９３とを有する。調整部材５９下方のボルト部９１は上フレーム４５の穴５３に螺合される。この際、あらかじめナット９３がボルト部９１に螺合されており、ナット９３により調整部材５９が固定される。調整部材５９は任意の螺合代だけ穴５３に螺合された後にナット９３でその位置に固定される。したがって、調整部材５９はボルト部９１の螺合代によって容易に高さを調整することができる。
【００６５】
突起９５は上プレート６３の穴６３下方から挿入される。上プレート６３の上方からはボルト６７が穴６８に挿入され、穴９７に螺合される。ボルト６７の頭部は段差８９ａによって上プレート６３上に突出することがなく、また、ボルト６７が穴６８の下方に抜け落ちることがない。したがって、調整部材５９は上プレート６３にボルト６７によって接合される。
【００６６】
調整部材５９が接合された状態（図１１（ｂ））から上プレート６３の高さを調整する場合には、ボルト６７を外して上プレート６３を外し、ナット９３を緩めてボルト部９１の螺合代を調整すれば良い。調整後は、ナット９３を締めて調整部材５９を確実に上フレーム４５に固定し、同様の手順で上プレート６３を設置すればよい。以上により、架台８０の高さを調整することができる。
【００６７】
下フレーム２３と上フレーム４５とは、更にターンバックル１９により接合される。ターンバックル１９は、下フレーム２３、上フレーム４５及び支柱４１とで形成される矩形部のほぼ対角線上に斜めに設けられる。下フレーム２３および上フレームには、それぞれ取付部３５ａ、３５ｂが設けられる。取付部３５ａ、３５ｂにはあらかじめボルト穴が設けられ、ボルトよって、下フレーム２３及び上フレーム４５にターンバックルが接合される。
【００６８】
ターンバックル１９は、架台８０の水平方向の振動の増幅を抑えるためのものであり、架台８０の剛性を高める。なお、ターンバックル１９に代えて、その他の補強部材を上フレーム４５と下フレーム２３との間に斜め方向に設けることもできる。
【００６９】
第２の実施の形態にかかる架台８０によれば、第１の実施の形態と同様の効果を得ることができる。
【００７０】
また、下プレート３と支柱１５との接合部に補強部材５が設けられるため、支柱１５との接合部において高い剛性を得ることができる。また、補強部材５に設けられた穴９は下プレート３を貫通しないため、下プレート３の接着に使用される接着剤が穴９内に入り込むことがない。また、穴９に雌ねじ加工を施せば、ナット等を下プレート３へ溶接する必要がなく、支柱１５との接合が容易である。
【００７１】
また、下プレート３に設けられた穴８にボルト７６をねじ込むことで、架台８０の水平レベル調整を容易に行うことができる。
【００７２】
また、下フレーム２３および上フレーム４５にはリブ等が設けられないため、製造が容易である。
【００７３】
また、支柱１５、４１が多角形断面形状であるため、特殊な工具がなくても容易に回転させることができ、取付が容易である。また、支柱１５、４１の多角形断面形状部がボルト部よりも径が大きいため、高い剛性を得ることができる。また、支柱４１は、下フレーム２３の四隅近傍に設けられ、支柱４１同士が離れているため、より大きな剛性を得ることができる。
【００７４】
また、上フレーム４５の上面には連結穴４７が設けられ、隣接する架台８０同士を連結板８１で固定することができる。このため、固定された複数台の架台８０全体として、より高い剛性を得ることができる。また、連結作業が上面から可能であるため、上プレート６３を外せば容易に連結作業を行うことができる。
【００７５】
また、上フレーム４５上には調整部材５９が設けられるため、容易に架台８０の高さ調整を行うことができる。特に高さ調整は、上プレート６３を外すだけでできるため、作業が容易である。
【００７６】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００７７】
【図１】架台１の分解斜視図。
【図２】架台１の組み立て斜視図。
【図３】架台１の正面図。
【図４】架台１を設置した状態を示す図。
【図５】架台８０の分解斜視図。
【図６】架台８０の組み立て斜視図。
【図７】架台８０の正面図。
【図８】穴８近傍の下プレート３断面拡大図。
【図９】架台８０同士を連結した状態を示す図で、（ａ）は連結板８１を設けた状態を示す斜視図、（ｂ）は架台８０ａ、８０ｂを連結した状態を示す正面図、（ｃ）は（ｂ）の連結板８１近傍を示す拡大図。
【図１０】リブ８７に穴６８を設けた状態を示す断面図。
【図１１】調整部材５９の取り付け状態を示す断面図。
【符号の説明】
【００７８】
１、８０………架台
３、４………下プレート
５………補強部材
７………切り欠き部
８………穴
９………穴
１１………ナット
１３、１５………支柱
１７ａ、１７ｂ………ボルト部
１９………ターンバックル
２３………下フレーム
２５………接続部
２６………連結部
２７………穴
２９………穴
３１………ナット
３５ａ、３５ｂ………取付部
３７………ナット
３９、４１………支柱
４３ａ、４３ｂ………ボルト部
４５………上フレーム
４７………連結穴
４９………上フレーム
５１………穴
５３、５５………穴
５８………床
５９………調整部材
６１………接続材
６３、６５………上プレート
６７、６９………ボルト
６８、７１………穴
７３………フロアパネル
７５………設備設置部位
７６………ボルト
７７………接着剤
７９………プレート
８１………連結板
８３………穴
８５………ボルト
８７………リブ
８９ａ、８９ｂ………段差
９１………ボルト部
９３………ナット
９５………突起
９７………穴
【図１】
2010077764.tif 000003
【図２】
2010077764.tif 000004
【図３】
2010077764.tif 000005
【図４】
2010077764.tif 000006
【図５】
2010077764.tif 000007
【図６】
2010077764.tif 000008
【図７】
2010077764.tif 000009
【図８】
2010077764.tif 000010
【図９】
2010077764.tif 000011
【図１０】
2010077764.tif 000012
【図１１】
2010077764.tif 000013